(57)【要約】【課題】  衣料品などへの縫着取付けが極めて簡単にできると共に、従来にない立体的な装飾が可能となる接ぎ合わせテープや端縁部に用いる縁取りテープとして利用できる。【解決手段】  表部材２と裏部材４とそれらを一体的に連設する脚部３とからなる立体的な二重構造を持つ細幅帯状体１である。少なくとも脚部３の一側面に、表部材２と裏部材４の間に生地縁６、６を挟み込む隙間部５、５を設ける。【選択図】        図１
2006009202.tif 000002
【特許請求の範囲】
【請求項１】
表部材と裏部材とそれらを一体的に連設する脚部とからなる立体的な構造を持つ細幅帯状体であって、少なくとも脚部の一側面に、表部材と裏部材の間に生地縁を挟み込む隙間部を設けたことを特徴とする立体細幅帯状体。
【請求項２】
表部材は断面形状が円形、楕円形、長円形など上方に突出する膨出体に形成されている請求項１に記載の立体細幅帯状体。
【請求項３】
表部材は平面状に形成されている請求項１に記載の立体細幅帯状体。
【請求項４】
表部材には組織柄、文字、図形、記号、絵柄模様など適宜の装飾部が設けられている請求項１〜３のいずれか一に記載の立体細幅帯状体。
【発明の詳細な説明】
【技術分野】
【０００１】
本発明は、インナーウエア、アウターウエアなどの衣料品、鞄・袋物類、靴、帽子、アクセサリー用品、医療用備品、テント、クッションカバー、ベッドカバーなどの寝装品、カーテンなどのインテリア商品の縫着接ぎ合わせテープや飾りテープとして使用できる立体的な細幅帯状体に関するものである。
【背景技術】
【０００２】
従来から、例えば、衣料品や鞄・袋物など生地を縫製して仕上げる製品にはどこかに生地と生地の端縁を重ねて縫製する接ぎ合わせ部がある。接ぎ合わせする際には、縫い代が必要であり接ぎ合わせる前に、ほつれを防止するために縫い代の端始末が必要であった。高級注文服から大量生産の既製品に至るまで、処理の方法はさまざまであるが、近年の既製品では２枚を接ぎ合わせた後、２枚重ねてオーバーロック縫いしたものが多い。いずれにせよ、接ぎ合わせた部分を裏から見ると縫い代が見えていた。
【０００３】
また、衣料品には例えば、接ぎ合わせ部分に沿って飾りテープを取付けて意匠的効果を高めるもの。あるいは袖口、前裾、前身頃端、襟部、ポケット部などの布端縁を補強すると共に、装飾効果を狙った縁取りテープを縫い付けることも行われているが、多くの場合、普通の生地接ぎに比べてテープが付く分、縫い代は嵩張ってゴロツキ、薄手の生地ならさほど問題にならない場合もあるが、ジーンズなどの厚手生地の場合にはゴロツク問題があった。
【０００４】
接ぎ合わせ部分がゴロツクことによって、美しいシルエットを表現できないこともあった。そのため、美しいシルエットにこだわるデザイナーは切り替え線の位置にも細心の注意をはらっている。さらに、肌に直接着けるインナーウエアの場合、着用感が近年重要視されてきており、肌あたりがやさしく着け心地の良いものが求められている。
【０００５】
上記の飾りテープや縁取りテープは主としてバイアステープ（例えば、特許文献１）あるいは伸縮性細幅織りテープ（例えば、特許文献２）が用いられている。
【特許文献１】実公昭５４−４０１６８号公報
【特許文献２】特開２００１−３０３３８６号公報
【発明の開示】
【発明が解決しようとする課題】
【０００６】
しかしながら、上記のバイアステープは、端部を平面的で単調な端処理しか望めないと共に、端縁が解れることになり、解れ止め加工が必要であった。また、伸縮性細幅織りテープの場合は、比較的厚地であるため、折り曲げに対する抵抗弾性が大きく、折り曲げにくいと言った問題点があった。
【０００７】
本発明は、上記の問題を解決することを課題として研究開発されたもので、衣料品などへの縫着取付けが極めて簡単にできると共に、従来にない立体的な装飾が可能となる接ぎ合わせテープや端縁部に用いる縁取りテープとして利用できる立体細幅帯状体を提供することを目的とするものである。
なお、ここで言う「テープ」とは、耳部のある細幅帯状体、すなわち、リボンも含むものとする。
【課題を解決するための手段】
【０００８】
上記の課題を解決し、その目的を達成する手段として、本発明では、表部材と裏部材とそれらを一体的に連設する脚部とからなる立体的な構造を持つ細幅帯状体であって、少なくとも脚部の一側面に、表部材と裏部材の間に生地縁を挟み込む隙間部を設けたことを特徴とする立体細幅帯状体を開発し、採用した。
【０００９】
また、上記のように構成した立体細幅帯状体において、表部材は断面形状が円形、楕円形、長円形など上方に突出する膨出体に形成されている立体細幅帯状体、および表部材は平面状に形成されている立体細幅帯状体、および表部材には組織柄、文字、図形、記号、絵柄模様など適宜の装飾部が設けられている立体細幅帯状体を開発し、採用した。
【発明の効果】
【００１０】
少なくとも脚部の一側面に、表部材と裏部材の間に生地縁を挟み込む隙間部を設けてあるから、その隙間部に生地縁を差し込むことができ、生地縁は挟着され縫糸で縫着することにより２枚の生地を接ぎ合わすことができる。生地縁を差し込む時に、脚部に沿って差し込んだり、脚部に当るまで差し込んだりでき、脚部がガイドとなり一定寸法をスムーズに差し込むことができて縫製が確実になる。
【００１１】
また、細幅帯状体は、表部材と裏部材の間に脚部を有する立体的な二重構造を持つことから、接ぎ合わせテープや端縁部に用いる飾りテープとして使用した時に三次元的な立体感のあるラインを現出してアクセントのある美しい装飾効果を発揮できる。
【００１２】
さらに、従来の接ぎ合わせのような面倒で手間のかかる縫い代始末をする必要がなくなり、細幅帯状体の中に縫い代が隠れてしまうので、裏から見ても美麗でリバーシブルの１枚仕立てや裏地をつけない（紳士服の夏物や婦人服の薄手のはおりもの等）仕立ての服に最適である。
【００１３】
厚手の生地でも、切り替え線に玉縁飾りがしやすくなる上に、縫製も容易になり生産効率の向上につながる。接ぎ合わせ線のゴロツキが軽減されることで、滑らかな美しいシルエットが実現できる。特に、冬物のフラノやツイードなど肉厚生地に使用した場合、効果は特に期待できる。そして、着用時の肌あたりをやさしくすると共に、違和感やゴロツキがなくなると共に、肌がアトピーなどで過敏症の人や寝たきり老人などが着用する肌着などに使用すれば肌を傷めることがなくなり最適である。
【発明を実施するための最良の形態】
【００１４】
以下に、本発明の実施の形態を衣料品の縫目の接ぎ合わせ部や端縁部に用いるテープとして説明するが、必ずしも衣料品に限定されるものではなく、図示していないが、鞄・袋物類、靴、帽子、アクセサリー用品、医療用備品、テント、クッションカバー、ベッドカバーなどの寝装品、カーテンなどのインテリア商品の縫着接ぎ合わせテープや飾りテープとしても適用できるものである。
【００１５】
図１〜図３は本発明の第１実施の形態を示しており、１は織物や編物からなる細幅帯状体であり、その細幅帯状体１は、断面形状が円形、楕円形、長円形など上方に突出する膨出体の表部材２と、その表部材２の下面中央部から垂直に連設する短い脚部３と、その脚部３の左右に形成される方形状の裏部材４が一体的に連設された立体的な２重構造を有し、表部材２と裏部材４の間に生地縁６，６を挟み込む隙間部５，５を設けたものである。
【００１６】
上記第１実施の形態の使用例を説明すると、図２に示すように、例えばズボンＺのパイピング効果のある脇縫目の接ぎ合わせテープとして用いる。すなわち、脇縫目に立体細幅帯状体１を配し、前身頃生地縁６と後身頃生地縁６の端縁を、表部材２と裏部材４の間の挟み込み隙間部５，５に差し込み挟み込んだ後、縫糸７，７で縫製したものである。
【００１７】
従来の脇縫目縫製によれば、本縫いと片返し縫いあるいはロックミシンなどによる縫い代始末などの２度の縫製をしなければならなかったが、この接ぎ合わせテープによれば、本縫いと縫い代の処理が同時にできるので縫製作業効率が良くなる。また、円形、楕円形、長円形などに形成された表部材２が側面に突出して立体的に現れることから、ズボンの脇縫目に用いれば側章となり、側章を必要とする儀礼服などの軍服、楽団の制服、ドアボーイの制服の他、トレーニングパンツの脇縫目に縫着するラインテープとしても最適である。
【００１８】
図４〜図６に示すのは本発明の第２実施の形態を示しており、上記第１実施の形態と異なっているのは、表部材１２の断面形状が円形、楕円形、長円形など上方に突出する膨出体でなく、平面体で形成した点が異なっているだけである。
【００１９】
すなわち、図４Ａに示すように、表部材１２と裏部材１４が同一幅、図４Ｂに示すように、表部材１２が裏部材１４より幅狭、図４Ｃに示すように、表部材１２が裏部材１４より広幅などの平面体で形成した点が異なっているだけで、表部材１２と裏部材１４を連設する脚部１３および表部材１２と裏部材１４の間に生地縁１６と生地縁１６を挟み込む隙間部１５，１５を設けて立体的な二重構造になっていることに第１実施の形態と相違はない。
【００２０】
上記第２実施の形態の使用例を説明すると、図５に示すように、例えばタンクトップＴなどのニット製品の脇縫目や肩縫目に使用する。すなわち、脇縫目や肩縫目に立体細幅帯状体１１を配し、前身頃生地１６と後身頃生地１６の端縁を、表部材１２と裏部材１４の間の挟み込み隙間部１５，１５に挟み込み、縫糸１７，１７で縫製して接ぎ合わせテープとしたものであり、薄地の表部材１２がテープとしてタンクトップＴにアクセントを付けることになり装飾効果が向上する。
【００２１】
図７〜図９は本発明の第３実施の形態を示し、第２実施の変形例である。２１は織物や編物からなる細幅帯状体であるのは第２実施の形態と同じである。表部材２２と裏部材２４の幅は前記第２実施の形態と同様に、同一幅あるいは異なる幅の場合もある。上記第２実施の形態と異なっているのは、表部材２２の両側部を楕円形の膨出部２２ａ，２２ａとした点が相違してあり、この膨出部２２ａ，２２ａによって一層装飾効果と立体効果が発揮できるものである。また、例えば膨出部２２ａ，２２ａの色と表部材２２の色を変えたり、膨出部２２ａ，２２ａの表面に組織柄、文字、図形、記号、絵柄模様などの装飾を施す場合もある。表部材２２と裏部材２４を連設する脚部２３および表部材２２と裏部材２４の間に生地縁２６，２６を挟み込む隙間部２５，２５を設けて立体的な二重構造になっていることに第２実施の形態と相違はない。
【００２２】
上記第３実施の形態の使用例を説明すると、図８に示すように、例えばワンピースＯの切り替えデザインとして使用する。すなわち、前身頃端に立体細幅帯状体２１を配し、右前身頃生地２６と左前身頃生地２６の端縁を、表部材２２と裏部材２４の間の挟み込み隙間部２５，２５に挟み込み縫糸２７，２７で縫製して接ぎ合わせテープとしたものである。表部材２２の両側縁に膨出部２２ａ，２２ａが施されているから装飾効果が一段と向上する。
【００２３】
図１０〜図１２は本発明の第４実施の形態を示しており、３１は織物や編物からなる細幅帯状体であるのは前記第１〜３実施の形態と同じであり、第２、第３実施の細幅帯状体１１、２１では、断面略横Ｈ字状に形成され、脚部１３，２３の両側面から生地１６，１６、２６，２６の端縁を差し込めるようになっていたが、この第４実施の形態では、断面略横Ｙ字状として一側面のみに隙間部３５を形成したものである。すなわち、表部材３２と裏部材３４が表部材３２の下面に形成される脚部３３を介して二股に形成したものであり、立体的な二重構造になっていることに前記第２、第３実施の形態と相違はない。
【００２４】
上記第４実施の形態の使用例を説明すると、図１１に示すように、例えばブラウスやシャツＢの前立部に使用することができる。すなわち、細幅帯状体３１を前身頃端に配し、前身頃生地３６の端縁を、表部材３２と裏部材３４の間の挟み込み隙間部３５に差し込んで挟み込み縫糸３７で縫製して縁飾りテープとしたものである。
【００２５】
図１３〜図１５は本発明の第５実施の形態を示し、第４実施の形態の変形例である。第４実施の形態と異なるのは、細幅帯状体４１の一側縁にフリル片４８を一体に設けた点が異なっているだけであり、細幅帯状体４１が断面略横Ｙ字状で、その一側面のみに隙間部４５を設け、表部材４２と裏部材４４が脚部４３を介して二股に形成して立体的な二重構造になっていることに第４実施の形態と相違はない。
【００２６】
上記第５実施の形態の使用例を説明すると、図１４に示すように、例えばカットソーＣのネックラインや袖口周り、裾周りの縁飾りテープとして使用する。すなわち、各取付け部に細幅帯状体４１を配し、生地４６の端縁を表部材４２と裏部材４４の間の挟み込み隙間部４５に挟み込み縫糸４７で縫製すれば、一側縁のフリル片４８によってネックラインや袖口周り、裾周りが装飾されるものである。
【００２７】
以下に、前記の実施形態１の代表的な具体的実施例を説明する。
（実施例１）
経糸にポリエステル加工糸３３０ｄｔｅｘ、緯糸にポリエステル加工糸８４ｄｔｅｘ、経糸密度１０２本／吋、緯糸密度１０６本／吋をニードル織機によって平織りの裏部材４を織成する。すなわち、図１６に示すように、左右裏部材布４ａ，４ｂが中央部で連結された裏部材４と、その裏部材４の中央部に、経糸にポリエステル加工糸３３０ｄｔｅｘ、緯糸にポリエステル加工糸８４ｄｔｅｘ×２、経糸密度９０本／吋、緯糸密度１０６本／吋を平織りで織成した長さ１ｍｍの脚部３と、その脚部３に、経糸にポリエステル加工糸３３０ｄｔｅｘ、緯糸にポリエステル加工糸８４ｄｔｅｘ×２、経糸密度２２５本／吋、緯糸密度１０６本／吋を袋織りで織成した径３ｍｍの楕円形膨出体の表部材２を得た。そして、左右裏部材布４ａ，４ｂを互いに外側方向へ開き二枚の裏部材布４ａ，４ｂが面一で幅２０ｍｍの一枚布のように裏部材4を形成して立体的な細幅帯状体１を得た。
【００２８】
得られた立体的な細幅帯状体１をトレーニングパンツの脇縫目に縫着するラインテープに使用して縫製試験を行ったところ、縫製が簡略化され、容易となり縫い代も嵩張らなかった。これに対して、従来のパイピングテープを実施例1と同様のトレーニングパンツの脇縫目に縫着したところ、縫製に手間がかかり、縫い代も実施例１よりゴロついた。
【００２９】
つぎに、前記の実施形態２の代表的な具体的実施例を説明する。
（実施例２）
経糸にポリエステル加工糸１６７ｄｔｅｘ、緯糸にポリエステル加工糸８４ｄｔｅｘ、経糸密度１１４本／吋、緯糸密度１２７本／吋をニードル織機によって平織りの裏部材１４を織成する。すなわち、図１７に示すように、左右裏部材布１４ａ，１４ｂが中央部で連結された裏部材１４と、その裏部材１４の中央部に、経糸にポリエステル加工糸１６７ｄｔｅｘ、緯糸にポリエステル加工糸８４ｄｔｅｘ×２、経糸密度１８０本／吋、緯糸密度１２７本／吋を経て畝織りで織成した長さ１ｍｍの脚部１３と、その脚部１３に、経糸にポリエステル加工糸１６７ｄｔｅｘ、緯糸にポリエステル加工糸８４ｄｔｅｘ、経糸密度２６５本／吋、緯糸密度１２７本／吋を朱子織りで、左右表部材布１２ａ，１２ｂが中央部で連結するよう織成し、左右裏部材布１４ａ，１４ｂと左右表部材布１２ａ，１２ｂを互いに外側方向へ開き二枚の布１４ａ，１４ｂ、１２ａ，１２ｂが面一となる幅２０ｍｍの一枚布のように裏部材１4、表部材１２として横Ｈ字状の立体的な細幅帯状体１１を得た。
【００３０】
得られた立体的な細幅帯状体１１をタンクトップの脇ラインに使用して着用試験を行ったところ、ゴロツキがなく、フラットで自然なラインとなった。これに対して、従来の平面的なテープを実施例２と同様のタンクトップの脇ラインに縫着したところ、縫い代と重なりゴロツキが生じた。
【００３１】
以上、代表的な実施例について説明したが、本発明は上記の実施例に限定されるものではなく、例えば、細幅帯状体は織物で説明したが、編物でもよく、あるいはポリウレタン等の押し出し成形品でもよい。また、細幅帯状体は、伸縮性を有する場合、伸縮性の無い場合などでもよい。要するに本発明の目的を達成でき、且つ発明の要旨を逸脱しない範囲内で種々の設計変更が可能であり、それらも全て本発明の範囲内に包含されるものである。
【産業上の利用可能性】
【００３２】
本発明は、肌着やファンデーションなどのインナーウエアあるいはアウターウエアなどの衣料品に限らず、鞄・袋物類、靴、帽子、アクセサリー用品、医療用備品、テント、クッションカバー、ベッドカバーなどの寝装品、カーテンなどのインテリア商品の縫着接ぎ合わせテープや飾りテープとしても利用できるものである。
【図面の簡単な説明】
【００３３】
【図１】第１実施形態の立体細幅帯状体の簡略斜視図である。
【図２】ズボンに使用した状態を示す側面図。
【図３】図２のＡ−Ａ線断面図である。
【図４Ａ】第２実施形態の立体細幅帯状体で、表部材と裏部材が同一幅の簡略斜視図である。
【図４Ｂ】第２実施形態の立体細幅帯状体で、表部材が裏部材より幅狭の簡略斜視図である。
【図４Ｃ】第２実施形態の立体細幅帯状体で、表部材が裏部材より幅広の簡略斜視図である。
【図５】タンクトップに使用した状態を示す斜視図である。
【図６】図５のＢ−Ｂ線断面図である。
【図７】第３実施形態の立体細幅帯状体の簡略斜視図である。
【図８】ワンピースに使用した状態を示す正面図である。
【図９】図８のＣ−Ｃ線断面図である。
【図１０】第４実施形態の立体細幅帯状体の簡略斜視図である。
【図１１】シャツの前立に使用した状態を示す正面図である。
【図１２】図１１のＤ−Ｄ線断面図である。
【図１３】第５実施形態の立体細幅帯状体の簡略斜視図である。
【図１４】カットソーに使用した状態を示す正面図である。
【図１５】図１４のＥ−Ｅ線断面図である。
【図１６】第1実施形態における実施例１の説明図である。
【図１７】第２実施形態における実施例２の説明図である。
【符号の説明】
【００３４】
１，１１，２１，３１，４１  細幅帯状体
２，１２，２２，３２，４２  表部材
３，１３，２３，３３，４３  脚部
４，１４，２４，３４，４４  裏部材
５，１５，２５，３５，４５  隙間部
６，１６，２６，３６，４６  生地縁
【図１】
2006009202.tif 000003
【図２】
2006009202.tif 000004
【図３】
2006009202.tif 000005
【図４Ａ】
2006009202.tif 000006
【図４Ｂ】
2006009202.tif 000007
【図４Ｃ】
2006009202.tif 000008
【図５】
2006009202.tif 000009
【図６】
2006009202.tif 000010
【図７】
2006009202.tif 000011
【図８】
2006009202.tif 000012
【図９】
2006009202.tif 000013
【図１０】
2006009202.tif 000014
【図１１】
2006009202.tif 000015
【図１２】
2006009202.tif 000016
【図１３】
2006009202.tif 000017
【図１４】
2006009202.tif 000018
【図１５】
2006009202.tif 000019
【図１６】
2006009202.tif 000020
【図１７】
2006009202.tif 000021